【手続補正書】
【提出日】平成20年3月21日(2008.3.21)
【手続補正１】
【補正対象書類名】特許請求の範囲
【補正対象項目名】全文
【補正方法】変更
【補正の内容】
【特許請求の範囲】
【請求項１】
ユーザからのスクロールを指示する指示情報の入力を受け付ける指示受付手段と、
前記指示情報に応じて予め定められた複数の項目情報が表示領域にスクロール表示される表示手段と、
前記複数の項目情報からスクロール表示時において前記表示領域に常時表示する項目情報を指定する指定情報の入力を受け付ける指定受付手段と、
前記指示受付手段で前記指示情報が受け付けられた場合に、前記指定情報により示される項目情報を前記表示手段の表示領域内に表示させた状態で残りの項目情報をスクロール表示させるように前記表示手段を制御する制御手段と、
を備えた情報表示装置。
【請求項２】
前記制御手段は、前記指示受付手段で前記指示情報が受け付けられた場合に、前記指定情報により示される項目情報を前記残りの項目情報と共に前記表示手段の表示領域におけるスクロール方向端部に向けてスクロール移動させると共に、前記スクロール方向端部に位置した前記指定情報により示される項目情報のスクロール移動を停止させ、前記残りの項目情報のみのスクロール移動を継続させるように前記表示手段を制御する
請求項１記載の情報表示装置。
【請求項３】
前記制御手段は、前記指定情報により示される項目情報が複数存在する場合で、かつ当該複数の項目情報の何れかが前記指示情報に応じたスクロール移動によって前記スクロール方向端部に位置されて停止された時点以降の同一スクロール方向に対するスクロールを継続して行う場合、当該スクロール方向端部に位置されて停止された項目情報の表示範囲におけるスクロール方向と逆方向の端部を前記スクロール方向端部であるものと見なして前記スクロールを継続させるように前記表示手段を制御する
請求項２記載の情報表示装置。
【請求項４】
前記制御手段は、前記指定情報により示される複数の項目情報の前記スクロール方向端部における表示を、前記スクロール方向端部の予め定められた範囲内に限度として行う
請求項３記載の情報表示装置。
【請求項５】
前記項目情報を、予め定められた複数の候補情報から何れかの前記候補情報が設定されるものとし、
前記指示受付手段は、前記表示領域内に表示された前記項目情報に対して前記候補情報の表示を指示する表示指示情報の入力を受け付け、
前記制御手段は、前記指示受付手段により前記候補情報の表示を指示する前記表示指示情報が受け付けられた場合に、前記表示領域に前記候補情報を表示させるように前記表示手段を制御する
請求項１乃至請求項４の何れか１項記載の情報表示装置。
【請求項６】
スクロール表示時において前記表示領域に前記候補情報を表示させた状態とする項目情報を予め設定した設定情報を記憶する記憶手段をさらに備え、
前記制御手段は、前記記憶手段に記憶された設定情報により示される項目情報の前記候補情報を前記表示領域に表示させ、当該項目情報が前記スクロール方向端部に位置された場合に、前記表示領域に表示されている前記候補情報を閉じるように前記表示手段を制御する
請求項５項記載の情報表示装置。
【請求項７】
ユーザからのスクロールを指示する指示情報の入力を受け付ける指示受付手段で受け付けらた前記指示情報に応じて、予め定められた複数の項目情報が表示領域にスクロール表示される表示手段の当該表示領域に表示される項目情報を更新するステップと、
前記表示領域に常時表示する項目情報を指定する指定情情報の入力を受け付ける指定受付手段で受け付けられた前記指定情報により示される項目情報を前記表示手段の表示領域内に表示させた状態で残りの項目情報をスクロール表示させるように項目情報の表示位置を制御するステップと、
をコンピュータに実行させるスクロール表示制御プログラム。
【手続補正２】
【補正対象書類名】明細書
【補正対象項目名】発明の名称
【補正方法】変更
【補正の内容】
【発明の名称】情報表示装置及びスクロール表示制御プログラム
【手続補正３】
【補正対象書類名】明細書
【補正対象項目名】０００１
【補正方法】変更
【補正の内容】
【０００１】
この発明は、スクロール操作に応じて予め定められた複数の項目情報をスクロール表示する情報表示装置及びスクロール表示制御プログラムに関するものである。
【手続補正４】
【補正対象書類名】明細書
【補正対象項目名】０００９
【補正方法】変更
【補正の内容】
【０００９】
本発明は上記事実に鑑みてなされたものであり、表示領域を有効に活用し、互いに離れた項目情報を容易に把握することができる情報表示装置及びスクロール表示制御プログラムを提供することを目的とする。
【手続補正５】
【補正対象書類名】明細書
【補正対象項目名】００１０
【補正方法】変更
【補正の内容】
【００１０】
上記目的を達成するため、請求項１に記載の発明は、ユーザからのスクロールを指示する指示情報の入力を受け付ける指示受付手段と、前記指示情報に応じて予め定められた複数の項目情報が表示領域にスクロール表示される表示手段と、前記複数の項目情報からスクロール表示時において前記表示領域に常時表示する項目情報を指定する指定情報の入力を受け付ける指定受付手段と、前記指示受付手段で前記指示情報が受け付けられた場合に、前記指定情報により示される項目情報を前記表示手段の表示領域内に表示させた状態で残りの項目情報をスクロール表示させるように前記表示手段を制御する制御手段と、を備えている。
【手続補正６】
【補正対象書類名】明細書
【補正対象項目名】００１１
【補正方法】変更
【補正の内容】
【００１１】
請求項１記載の発明によれば、指示受付手段によって、ユーザからのスクロールを指示する指示情報の入力が受け付けられ、前記指示情報に応じて予め定められた複数の項目情報が表示手段の表示領域にスクロール表示される。なお、上記表示手段には、ＣＲＴディスプレイ、プラズマ・ディスプレイ、有機ＥＬディスプレイ、液晶ディスプレイ等のディスプレイが含まれる。
【手続補正７】
【補正対象書類名】明細書
【補正対象項目名】００１２
【補正方法】変更
【補正の内容】
【００１２】
そして、本発明では、指定受付手段によって、前記複数の項目情報からスクロール表示時において前記表示領域に常時表示する項目情報を指定する指定情報の入力が受け付られ、制御手段によって、前記指示受付手段で前記指示情報が受け付けられた場合に、前記指定情報により示される項目情報を前記表示手段の表示領域内に表示させた状態で残りの項目情報をスクロール表示させるように前記表示手段が制御される。なお、上記指示受付手段及び指示受付手段は、同一の受付手段として構成してもよく、指示受付手段及び指示受付段には、キーボード、ポインティング・デバイス等の入力装置を介した入力の他、前記タッチパネル等を介した入力が含まれる。
【手続補正８】
【補正対象書類名】明細書
【補正対象項目名】００１３
【補正方法】変更
【補正の内容】
【００１３】
このように請求項１記載の発明によれば、ユーザからのスクロールを指示する指示情報の入力が受け付られて、前記指示情報に応じて予め定められた複数の項目情報が表示手段の表示領域にスクロール表示され、また、前記複数の項目情報からスクロール表示時において前記表示領域に常時表示する項目情報を指定する指定情報の入力が受け付られるものとされており、スクロールを指示する指示情報が受け付けられた場合に、前記指定情報により示される項目情報を前記表示手段の表示領域内に表示させた状態で残りの項目情報をスクロール表示させるように前記表示手段を制御しているので、表示領域を有効に活用し、互いに離れた項目情報を容易に把握することができる。
【手続補正９】
【補正対象書類名】明細書
【補正対象項目名】００１４
【補正方法】変更
【補正の内容】
【００１４】
なお、本発明は、請求項２記載の発明のように、前記制御手段は、前記指示受付手段で前記指示情報が受け付けられた場合に、前記指定情報により示される項目情報を前記残りの項目情報と共に前記表示手段の表示領域におけるスクロール方向端部に向けてスクロール移動させると共に、前記指定情報により示される項目情報が前記スクロール方向端部に位置した前記指定情報により示される項目情報のスクロール移動を停止させ、前記残りの項目情報のみのスクロール移動を継続させるように前記表示手段を制御するものとしてもよい。
【手続補正１０】
【補正対象書類名】明細書
【補正対象項目名】００１７
【補正方法】変更
【補正の内容】
【００１７】
また、本発明は、請求項５記載の発明のように、前記項目情報を、予め定められた複数の候補情報から何れかの前記候補情報が設定されるものとし、前記指示受付手段は、前記表示領域内に表示された前記項目情報に対して前記候補情報の表示を指示する表示指示情報の入力を受け付け、前記制御手段は、前記指示受付手段により前記候補情報の表示を指示する前記表示指示情報が受け付けられた場合に、前記表示領域に前記候補情報を表示させるように前記表示手段を制御するようにしてもよい。
【手続補正１１】
【補正対象書類名】明細書
【補正対象項目名】００１８
【補正方法】変更
【補正の内容】
【００１８】
さらに、請求項５記載の発明は、請求項６記載の発明のように、スクロール表示時において前記表示領域に前記候補情報を表示させた状態とする項目情報を予め設定した設定情報を記憶する記憶手段をさらに備え、前記制御手段は、前記記憶手段に記憶された設定情報により示される項目情報の前記候補情報を前記表示領域に表示させ、当該項目情報が前記スクロール方向端部に位置された場合に、前記表示領域に表示されている前記候補情報を閉じるように前記表示手段を制御するようにしてもよい。
一方、上記目的を達成するため、請求項７に記載の発明のスクロール表示制御プログラムは、ユーザからのスクロールを指示する指示情報の入力を受け付ける指示受付手段で受け付けらた前記指示情報に応じて、予め定められた複数の項目情報が表示領域にスクロール表示される表示手段の当該表示領域に表示される項目情報を更新するステップと、前記表示領域に常時表示する項目情報を指定する指定情情報の入力を受け付ける指定受付手段で受け付けられた前記指定情報により示される項目情報を前記表示手段の表示領域内に表示させた状態で残りの項目情報をスクロール表示させるように項目情報の表示位置を制御するステップと、を含んでいる。
【手続補正１２】
【補正対象書類名】明細書
【補正対象項目名】００１９
【補正方法】変更
【補正の内容】
【００１９】
以上説明したように、ユーザからのスクロールを指示する指示情報の入力が受け付られて、前記指示情報に応じて予め定められた複数の項目情報が表示手段の表示領域にスクロール表示され、また、前記複数の項目情報からスクロール表示時において前記表示領域に常時表示する項目情報を指定する指定情報の入力が受け付られるものとされており、スクロールを指示する指示情報が受け付けられた場合に、前記指定情報により示される項目情報を前記表示手段の表示領域内に表示させた状態で残りの項目情報をスクロール表示させるように前記表示手段を制御しているので、表示領域を有効に活用し、互いに離れた項目情報を容易に把握することができる、という優れた効果を有する。
【手続補正１３】
【補正対象書類名】明細書
【補正対象項目名】００８０
【補正方法】変更
【補正の内容】
【００８０】
以上のように本実施の形態によれば、指示受付手段（ここでは、操作入力検出部４６）によって、スクロールを指示する指示情報の入力が受け付られて、前記指示情報に応じて予め定められた複数の項目情報（条件設定項目６１が相当）が表示手段（ここでは、表示パネル１４）の表示領域にスクロール表示されている。本発明では、指定受付手段（ここでは、操作入力検出部４６）によって、前記複数の項目情報からスクロール表示時において前記表示領域に常時表示する項目情報を指定する指定情報の入力が受け付られるものとされており、制御手段（ここでは、ＣＰＵ４０）によって、前記指示受付手段によりスクロールを指示する指示情報が受け付けられた場合に、前記指定情報により示される項目情報を前記表示手段の表示領域内に表示させた状態で残りの項目情報をスクロール表示させるように前記表示手段を制御しているので、表示領域を有効に活用し、互いに離れた項目情報を容易に把握することができる。
【手続補正１４】
【補正対象書類名】明細書
【補正対象項目名】００８１
【補正方法】変更
【補正の内容】
【００８１】
また、本実施の形態によれば、前記制御手段は、指示受付手段で前記指示情報が受け付けられた場合に、前記指定情報により示される項目情報を前記残りの項目情報と共に前記表示手段の表示領域におけるスクロール方向端部に向けてスクロール移動させると共に、前記指定情報により示される項目情報が前記スクロール方向端部に位置した前記指定情報により示される項目情報のスクロール移動を停止させ、前記残りの項目情報のみのスクロール移動を継続させるように前記表示手段を制御しているので、指定情報がスクロール移動して表示領域内において表示される指定情報の順番に応じた位置関係が保たれ、表示領域内での位置関係から当該項目情報の並び順を把握することができる。
【手続補正１５】
【補正対象書類名】明細書
【補正対象項目名】００８４
【補正方法】変更
【補正の内容】
【００８４】
さらに、本実施の形態によれば、前記項目情報を、予め定められた複数の候補情報から何れかの前記候補情報が設定されるものとし、前記指示受付手段は、前記表示領域内に表示された前記項目情報に対して前記候補情報の表示を指示する表示指示情報の入力を受け付け、前記制御手段は、前記指示受付手段により前記候補情報の表示を指示する前記表示指示情報が受け付けられた場合に、前記表示領域に前記候補情報を表示させるように前記表示手段を制御しているので、設定を行う項目情報を指定して候補情報を表示させることができ、設定操作が容易となる。
（変形例）
上記本実施の形態では、表示パネル１４に表示される条件項目設定画面６０では設定を行う条件設定項目６１に対してタッチ操作が行われると詳細設定表示部７０が表示されるが、変形例では、図９に示すように、表示項目設定情報８０に項目表示領域６２のスクロール範囲において詳細設定表示部７０を表示させた状態とするかを設定する詳細設定常時表示情報を設けている。